(57)【要約】      （修正有）【課題】異なる使用者の異なるマッサージ要求やマッサージ部位に応じて調整が可能な多機能マッサージャーを提供する。【解決手段】多機能マッサージャーは、少なくとも１つの収容空間１１を含む可撓性の本体１０と、少なくとも１つの収容空間１１のそれぞれに一つずつ収容される少なくとも１つのマッサージモジュール２０とを備え、少なくとも１つのマッサージモジュール２０のそれぞれは、モータ回転モジュール２１及びマッサージユニット２２を有し、モータ回転モジュール２１は回転シャフトを含み、マッサージユニット２２の非対称な傾斜面には複数の凸部２２１が設けられ、且つ複数の凸部２２１を有する側に反対する他側は回転シャフトに連結され、モータ回転モジュール２１が回転シャフトを駆動することによりマッサージユニット２２を回転させ、複数の凸部２２１は回転シャフトを中心として等間隔で配置される。【選択図】図２
0003217587.tif 000002
【実用新案登録請求の範囲】
【請求項１】
少なくとも１つの収容空間を含む可撓性の本体と、
前記少なくとも１つの収容空間のそれぞれに一つずつ収容される少なくとも１つのマッサージモジュールとを備え、
前記少なくとも１つのマッサージモジュールのそれぞれは、モータ回転モジュール及びマッサージユニットを有し、前記モータ回転モジュールは回転シャフトを含み、前記マッサージユニットの非対称な傾斜面には複数の凸部が設けられ、且つ前記複数の凸部を有する側に反対する他側は前記回転シャフトに連結され、前記モータ回転モジュールが前記回転シャフトを駆動することにより前記マッサージユニットを回転させ、
前記複数の凸部は前記回転シャフトを中心として等間隔で配置されることを特徴とする多機能マッサージャー。
【請求項２】
前記マッサージユニットは複数の孔部及び複数のマッサージボールを備え、前記複数のマッサージボールのそれぞれの直径は前記孔部のそれぞれの孔径より大きく、前記複数のマッサージボールのそれぞれが前記複数の孔部のそれぞれに回動可能に嵌設されることにより、前記複数のマッサージボールのそれぞれが前記複数の凸部を構成することを特徴とする請求項１に記載の多機能マッサージャー。
【請求項３】
前記少なくとも１つの収容空間及び少なくとも１つのマッサージモジュールは複数であり、前記可撓性の本体は少なくとも１つの曲げ部及び複数の矩形の接触部を有し、前記複数の矩形の接触部は前記複数のマッサージモジュールにそれぞれ対応すると共に前記少なくとも１つの曲げ部の両側に位置することを特徴とする請求項１または２に記載の多機能マッサージャー。
【請求項４】
前記複数の矩形の接触部は、前記少なくとも１つの曲げ部により、正面が対向するようになり、又は背面が対向するようになることを特徴とする請求項３に記載の多機能マッサージャー。
【請求項５】
前記少なくとも１つの収容空間のそれぞれは矩形の凹部であり、前記複数の矩形の接触部のそれぞれは網状構造を呈することを特徴とする請求項３に記載の多機能マッサージャー。
【請求項６】
前記可撓性の本体は環状の弾性バンドを更に備え、前記弾性バンドは前記可撓性の本体の前記複数の矩形の接触部を有する側に反対する他側に配置されることを特徴とする請求項３に記載の多機能マッサージャー。
【請求項７】
可撓性の本体はシートクッションであり、前記シートクッションは少なくとも１つの接触部を有し、前記少なくとも１つの接触部のそれぞれの人体に接触する側に反対する他側に前記少なくとも１つの収容空間が配置され、前記少なくとも１つの接触部のそれぞれは網状構造を呈することを特徴とする請求項１または２に記載の多機能マッサージャー。
【請求項８】
前記少なくとも１つのマッサージモジュールは伸びマッサージユニットを更に備え、前記伸びマッサージユニットは一体成形される偏心回転リングと、伸びマッサージヘッドと、前記偏心回転リング及び前記伸びマッサージヘッドに連結されるコネクティングロッドとを含み、前記偏心回転リングは前記マッサージユニットと前記モータ回転モジュールとの間に回転可能に配置され、前記マッサージユニットの回転時に前記回転シャフトを中心に回転されることを特徴とする請求項７に記載の多機能マッサージャー。
【請求項９】
前記少なくとも１つのマッサージモジュールのそれぞれはプーリーを更に備え、前記コネクティングロッドはスライドレールを有し、前記スライドレールは前記プーリーの少なくとも一側辺に摺動可能に装設されることにより、前記偏心回転リングが前記回転シャフトを中心に回転される際に前記伸びマッサージヘッドに対して往復運動を行わせることを特徴とする請求項８に記載の多機能マッサージャー。
【考案の詳細な説明】
【技術分野】
【０００１】
本考案は、マッサージャーに関し、特に、シートクッション及び伸びマッサージヘッドと組み合わせて多様なマッサージ用途に応用可能な多機能マッサージャーに関する。
【背景技術】
【０００２】
現代社会における人々の生活は忙しく、日常的に様々な挑戦や極度のストレスに晒されている。適時ストレスを緩和させることが日常生活を送る上で重要であり、仕事中の気分転換を効果的に図って将来的に起こる更なる挑戦に備えるため、多くの人がマッサージによって心身のリラックスを図っている。マッサージは皮膚を温めることで血流を促し、体内の血管を拡張させて身心のリラクゼーション効果を達成させる。また、体内の新陳代謝を促進させることで血流を更に高める。人々は一般的に自分でマッサージを行う場合、手で体のつぼや痛みのある部位を押し揉みするため、手がすぐに疲れてしまう。このため、通常は使用が便利で力も要らない各種のマッサージ棒を使用して体のつぼや痛みのある部位に対してマッサージを行う。
【考案の概要】
【考案が解決しようとする課題】
【０００３】
しかしながら、上述の各種マッサージ棒はマッサージの予期する効果を達成させるが、実際使用する場合、前記各種のマッサージ棒の何れも大きさ、長さ、サイズ、形状が固定されており、異なる使用者の異なるマッサージ要求に応じた調整は不可能であり、使用が制限されたことから、不便であるため、構造全体の設計には改善の余地がある。
【０００４】
そこで、本考案者は上記の欠点が改善可能と考え、鋭意検討を重ねた結果、合理的設計で上記の課題を効果的に改善する本考案の提案に到った。
【０００５】
かかる従来の実情に鑑みて、本考案は、多機能マッサージャーを提供することを目的とする。すなわち、異なる使用者の異なるマッサージ需要またはマッサージ部位に合わせて調整が可能な多機能マッサージャーを提供する。
【課題を解決するための手段】
【０００６】
上記課題を解決するために、本考案のある態様の多機能マッサージャーは、少なくとも１つの収容空間を含む可撓性の本体と、前記少なくとも１つの収容空間のそれぞれに一つずつ収容される少なくとも１つのマッサージモジュールとを備え、前記少なくとも１つのマッサージモジュールのそれぞれは、モータ回転モジュール及びマッサージユニットを有し、前記モータ回転モジュールは回転シャフトを含み、前記マッサージユニットの非対称な傾斜面には複数の凸部が設けられ、且つ前記複数の凸部を有する側に反対する他側は前記回転シャフトに連結され、前記モータ回転モジュールが前記回転シャフトを駆動することにより前記マッサージユニットを回転させ、前記複数の凸部は前記回転シャフトを中心として等間隔で配置される。
【考案の効果】
【０００７】
本考案によれば、任意の使用者が前記可撓性の本体を使用し、前記少なくとも１つの収容空間に配置される少なくとも１つのマッサージモジュールを人体のマッサージを行いたい複数の部位に緊密に密着させる。これにより、異なる使用者の異なるマッサージ要求又はマッサージ部位に合わせて調整が可能になり、使用をより便利にする目的を達成させる。
【図面の簡単な説明】
【０００８】
【図１】本考案の第１実施形態に係る多機能マッサージャーを示す。
【図２】本考案の第１実施形態に係る多機能マッサージャーを示す。
【図３】本考案の第１実施形態に係る多機能マッサージャーを示す。
【図４】本考案の第２実施形態に係る多機能マッサージャーを示す。
【図５Ａ】本考案の多機能マッサージャーの使用状態の概略図である。
【図５Ｂ】本考案の多機能マッサージャーの使用状態の概略図である。
【図６】本考案の多機能マッサージャーの使用状態の概略図である。
【図７Ａ】本考案の多機能マッサージャーの使用状態の概略図である。
【図７Ｂ】本考案の多機能マッサージャーの使用状態の概略図である。
【図８Ａ】本考案の多機能マッサージャーの使用状態の概略図である。
【図８Ｂ】本考案の多機能マッサージャーの使用状態の概略図である。
【図９Ａ】本考案の多機能マッサージャーの使用状態の概略図である。
【図９Ｂ】本考案の多機能マッサージャーの使用状態の概略図である。
【図１０】本考案の多機能マッサージャーの使用状態の概略図である。
【図１１】本考案の多機能マッサージャーの使用状態の概略図である。
【図１２】本考案の多機能マッサージャーの使用状態の概略図である。
【図１３】本考案の多機能マッサージャーの使用状態の概略図である。
【図１４】本考案の多機能マッサージャーの使用状態の概略図である。
【図１５】本考案の第３実施形態に係る多機能マッサージャーを示す。
【図１６】本考案の第４実施形態に係る多機能マッサージャーを示す。
【図１７】本考案の第４実施形態に係る多機能マッサージャーを示す。
【図１８】本考案の第４実施形態に係る多機能マッサージャーを示す。
【図１９Ａ】本考案の第４実施形態に係る多機能マッサージャーを示す。
【図１９Ｂ】本考案の第４実施形態に係る多機能マッサージャーを示す。
【図２０Ａ】本考案の第５実施形態に係る多機能マッサージャーを示す。
【図２０Ｂ】本考案の第６実施形態に係る多機能マッサージャーを示す。
【考案を実施するための形態】
【０００９】
以下、図面を参照しつつ、本考案に係る多機能マッサージャーについて具体的に説明する。なお、本明細書に添付する図面に描写する構造、比率、大きさ等は明細書に記載の内容と合わせて本分野に習熟する技術者が閲読して理解を促すためのものであり、本考案の実施条件を限定させるものではない。よって、技術上の実質的な意義はなく、本考案が生み出す効果及び達成させる目的に影響を与えない構造全体のあらゆる修飾、比率の関係の改変、或いは大きさの調整も本考案に記載の技術内容の範囲に含まれる。
【００１０】
次に、図１〜３を参照しながら、本考案の第１実施形態を詳しく説明する。本考案の第１実施形態に係る多機能マッサージャーは、可撓性の本体１０及び２つのマッサージモジュール２０を備える。可撓性の本体１０は２つの収容空間１１を更に含む。マッサージモジュール２０のそれぞれは収容空間１１のそれぞれに一つずつ収容される。マッサージモジュール２０のそれぞれは、モータ回転モジュール２１及びマッサージユニット２２を有し、モータ回転モジュール２１は回転シャフト２１１を含み、マッサージユニット２２の非対称な傾斜面には３つの凸部２２１が設けられ、且つ３つの凸部２２１を有する側に反対する他側はモータ回転モジュール２１の回転シャフト２１１に連結され、モータ回転モジュール２１が回転シャフト２１１を駆動することによりマッサージユニット２２を回転させ、３つの凸部２２１は回転シャフト２１１を中心として等間隔で配置される。
【００１１】
本実施形態では、可撓性の本体１０は曲げ部１２及び曲げ部１２の外に配置される２つの矩形の接触部１３を有し、２つの矩形の接触部１３が人体（図示せず）に接触する側に反対する他側には２つの収容空間１１が配置される。なお、本実施形態では、２つの矩形の接触部１３が曲げ部１２をにより、正面が対向するようになり、又は背面が対向するようになる。本実施形態では、収容空間１１のそれぞれは矩形の凹部であり、矩形の接触部１３のそれぞれは網状構造を呈する。また、本実施形態では、可撓性の本体１０が環状の弾性バンド１４を更に備え、弾性バンド１４は可撓性の本体１０の２つの矩形の接触部１３を有する側に反対する他側に配置されることにより、背もたれ１００に装設されること画可能となる。
【００１２】
図４は本考案の第２実施形態に係る多機能マッサージャーを示す。本考案の第２実施形態は前述の第１実施形態と略同じであるが、マッサージユニット２２は３つの孔部２２２及び３つのマッサージボール２２３を備え、マッサージボール２２３のそれぞれの直径は孔部２２２のそれぞれの孔径より大きく、マッサージボール２２３のそれぞれが孔部２２２のそれぞれに回動可能に嵌設されることにより、三つのマッサージボール２２３がそれぞれ３つの凸部を構成する。本考案の第２実施形態では、モータ回転モジュール２１とマッサージユニット２２との間には駆動歯車２３が更に介装され、回転シャフト２１１に装設されると共にマッサージユニット２２がモータ回転モジュール２１に設置される。
【００１３】
前述の本考案の第１実施形態または第２実施形態は可撓性の本体１０により、２つの収容空間１１に配置される２つのマッサージモジュール２０が人体のマッサージを行いたい複数の部位に緊密に密着される。図５Ａ及び図５Ｂに示すように、本考案に係る多機能マッサージャーは人体の大腿の内側に折り畳まれるように設置され、大腿の付け根及び大腿の内側のマッサージを行い、特に男性の前立腺に対する健康マッサージ及び特殊なマッサージに効果がある。図６に示すように、本考案に係る多機能マッサージャーを抱持又は縛着方式で胸部に設置されると、特に男性にとっては胸筋を鍛えることができ、女性にとっては乳房の健康マッサージに効果があり、豊胸効果もある。
【００１４】
図７Ａ〜図９Ｂに示すように、本考案の多機能マッサージャーは、弾性バンド１４により背もたれ１００に設置され、且つ弾性バンド１４の背もたれ１００での設置位置の高さを調整することにより、人体の異なる部位に対してそれぞれマッサージを行える。図７Ａ及び図７Ｂは本考案に係る多機能マッサージャーにより人体の肩及び頸部のマッサージを行う概略図である。図８Ａ及び図８Ｂは本考案に係る多機能マッサージャーにより人体の背中のマッサージを行う概略図である。図９Ａ及び図９Ｂは本考案に係る多機能マッサージャーにより人体の腰のマッサージを行う概略図である。
【００１５】
図１０は本考案に係る多機能マッサージャーがＶ字型に折り曲げられて大腿のマッサージを行う概略図である。図１１は本考案に係る多機能マッサージャーがＶ字型に折り曲げられてふくらはぎのマッサージを行う概略図である。図１２は本考案に係る多機能マッサージャーが床上に置かれて足裏のマッサージを行う概略図である。図１３は本考案に係る多機能マッサージャーにより腹部のマッサージを行い、消化を促進し、特に女性の生理痛を緩和改善させる概略図である。図１４は本考案に係る多機能マッサージャーにより手のマッサージを行う概略図である。
【００１６】
図１５は本考案の第３実施形態に係る多機能マッサージャーを示す。本考案の第３実施形態は前述の第１実施形態と略同じであるが、可撓性の本体はシートクッション１５であり、シートクッション１５はＵ字型接触部１６を有し、下方には少なくとも１つの収容空間１７が配置され、収容空間１７のそれぞれにはマッサージモジュール２０が設置される。Ｕ字型接触部１６が人体に接触する側に反対する他側には収容空間１７が配置され、Ｕ字型接触部１６は網状構造を呈する。
【００１７】
図１６〜図１９Ｂは本考案の第４実施形態に係る多機能マッサージャーを示す。本考案の第４実施形態は前述の第３実施形態と略同じであるが、マッサージモジュール２０は１つだけであり、且つマッサージユニット２２は４つの凸部２２１を有する。マッサージモジュール２０は伸びマッサージユニット２４を更に備え、伸びマッサージユニット２４は一体成形される偏心回転リング２４１と、伸びマッサージヘッド２４２と、偏心回転リング２４１及び伸びマッサージヘッド２４２に連結されるコネクティングロッド２４３とを含む。本考案の第４実施形態では、伸びマッサージヘッド２４２は２つの凸部２４４を有する。偏心回転リング２４１はマッサージユニット２２とモータ回転モジュール２１との間に回転可能に配置され、マッサージユニット２２の回転時に回転シャフト２１１を中心に回転される。本考案の第４実施形態において、マッサージモジュール２０のそれぞれはプーリー２５を更に備え、且つコネクティングロッド２４３はスライドレール２４５を有する。スライドレール２４５はプーリー２５の両側辺に摺動可能に装設されることにより、偏心回転リング２４１が回転シャフト２１１を中心に回転される際に伸びマッサージヘッド２４２に対して往復運動を行わせる。本考案の第４実施形態によると、Ｕ字型接触部１６は人体の臀部及び大腿の内側の内の少なくとも１つの部位に接触するために用いられる。
【００１８】
図２０Ａは本考案の第５実施形態に係る多機能マッサージャーを示す。本考案の第５実施形態は前述の第３実施形態と略同じであるが、シートクッション１５の中央部には鈍角矩形の接触部１６’を有し、下方には少なくとも１つの収容空間１７が配置され、収容空間１７のそれぞれにはマッサージモジュール２０が設置される。
【００１９】
図２０Ｂは本考案の第６実施形態に係る多機能マッサージャーを示す。本考案の第６実施形態は前述の第３実施形態と略同じであるが、シートクッション１５が鈍角三角形を呈し、下方には少なくとも１つの収容空間１７が配置され、収容空間１７のそれぞれにはマッサージモジュール２０が設置され、シートクッション１５の２つの隅を有する一側に２つの隅の位置に配置される２つの鈍角矩形の接触部１６’を更に有し、さらに、シートクッション１５の中央部の鈍角矩形の接触部１６’の両側には薄膜１６”がそれぞれ被覆される。
【００２０】
結論として、本考案に係る多機能マッサージャーを使用する場合、任意の使用者が可撓性の本体により、収容空間中に配置される少なくとも１つのマッサージモジュールを人体のマッサージを行いたい複数の部位に緊密に密着させる。異なる使用者の異なるマッサージ要求またはマッサージ部位に合わせて調整を行い、使用をより便利にする目的を達成させる。
【００２１】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと均等の範囲内にある全ての技術は、実用新案登録請求のに含まれるものと解釈すべきである。
【符号の説明】
【００２２】
１０  可撓性の本体
２０  マッサージモジュール
１１  収容空間
２１  モータ回転モジュール
２２  マッサージユニット
２１１  回転シャフト
２２１  凸部
１２  曲げ部
１３  矩形の接触部
１４  弾性バンド
２２３  マッサージボール
２２２  孔部
２３  駆動歯車
１００  背もたれ
１５  シートクッション
１６  Ｕ字型接触部
１７  収容空間
２４  伸びマッサージユニット
２４１  偏心回転リング
２４２  伸びマッサージヘッド
２４３  コネクティングロッド
２４４  凸部
２５  プーリー
２４５  スライドレール
１６’  鈍角矩形の接触部
１６”  薄膜
【図１】
0003217587.tif 000003
【図２】
0003217587.tif 000004
【図３】
0003217587.tif 000005
【図４】
0003217587.tif 000006
【図５Ａ】
0003217587.tif 000007
【図５Ｂ】
0003217587.tif 000008
【図６】
0003217587.tif 000009
【図７Ａ】
0003217587.tif 000010
【図７Ｂ】
0003217587.tif 000011
【図８Ａ】
0003217587.tif 000012
【図８Ｂ】
0003217587.tif 000013
【図９Ａ】
0003217587.tif 000014
【図９Ｂ】
0003217587.tif 000015
【図１０】
0003217587.tif 000016
【図１１】
0003217587.tif 000017
【図１２】
0003217587.tif 000018
【図１３】
0003217587.tif 000019
【図１４】
0003217587.tif 000020
【図１５】
0003217587.tif 000021
【図１６】
0003217587.tif 000022
【図１７】
0003217587.tif 000023
【図１８】
0003217587.tif 000024
【図１９Ａ】
0003217587.tif 000025
【図１９Ｂ】
0003217587.tif 000026
【図２０Ａ】
0003217587.tif 000027
【図２０Ｂ】
0003217587.tif 000028